(57)【要約】  【課題】  借りてきた光ディスクの返却期日を常に管理することができる光ディスク再生装置を提供する。  【解決手段】  リモコン２６の返却期日設定キー２６ａが押下されると、返却期日設定用表示画面が設定用表示処理手段２２１によりディスプレイ装置２０に表示される。そして、返却期日設定用表示画面を用いて返却期日が入力されると、返却期日記憶処理手段２２２により、その返却期日がフラッシュＲＯＭ２３に記憶される。この後、返却期日表示キー２６ｂが押下されると、期日表示処理手段２２３により、返却期日がフラッシュＲＯＭ２３から読み出され、本体の表示部２５に表示される。これにより、光ディスクをレンタル店などに返却するのを忘れることを防止できる。【選択図】      図１
2005203056.tif 000002
【特許請求の範囲】
【請求項１】
光ディスクに記録された情報を再生する光ディスク再生装置において、借りてきた光デ
ィスクに対して返却期日を設定する処理を行うための返却期日設定キーと、返却期日を表
示させる処理を行うための返却期日表示キーとを操作手段に設けると共に、前記返却期日
設定キーの押下により返却期日設定用表示画面を本体表示部または／およびディスプレイ
装置に表示させる設定用表示処理手段と、前記返却期日設定用表示画面を用いて入力され
た返却期日をメモリに記憶させる返却期日記憶処理手段と、前記返却期日表示キーの押下
により前記メモリから前記返却期日を読み出し前記本体表示部または／および前記ディス
プレイ装置に表示させる期日表示処理手段とをシステムコントローラに設けことを特徴と
する光ディスク再生装置。
【請求項２】
光ディスクに記録された情報を再生する光ディスク再生装置において、借りてきた光デ
ィスクに対して返却期日を設定する処理を行うための返却期日設定キーと、返却期日を表
示させる処理を行うための返却期日表示キーとを操作手段に設けると共に、前記返却期日
設定キーの押下により前記光ディスクからタイトル情報を取得してメモリに記憶させるタ
イトル情報取得手段と、前記返却期日設定キーの押下により返却期日設定用表示画面を本
体表示部または／およびディスプレイ装置に表示させる設定用表示処理手段と、前記返却
期日設定用表示画面を用いて入力された返却期日を前記メモリに記憶させる返却期日記憶
処理手段と、前記返却期日表示キーの押下により前記メモリから前記タイトル情報および
前記返却期日を読み出し前記本体表示部または／および前記ディスプレイ装置に表示させ
る期日表示処理手段とをシステムコントローラに設けことを特徴とする光ディスク再生装
置。
【請求項３】
光ディスクに記録された情報を再生する光ディスク再生装置において、借りてきた光デ
ィスクに対して返却期日を設定する処理を行うために操作されると共に、返却期日を表示
させる処理を行うために操作される操作手段と、この操作手段の操作により返却期日設定
用表示画面を表示させ、前記返却期日設定用表示画面を用いて前記操作手段により入力さ
れた返却期日を表示手段に表示させる制御を行うシステムコントローラとを備えたことを
特徴とする光ディスク再生装置。
【請求項４】
光ディスクに記録された情報を再生する光ディスク再生装置において、借りてきた光デ
ィスクに対して返却期日を設定する処理を行うために操作されると共に、返却期日を表示
させる処理を行うために操作される操作手段と、この操作手段の操作により返却期日設定
用表示画面を表示させ、光ディスクのタイトルと、前記返却期日設定用表示画面を用いて
前記操作手段により入力された返却期日とを、表示手段に表示させる制御を行うシステム
コントローラとを備えたことを特徴とする光ディスク再生装置。
【請求項５】
前記操作手段は、借りてきた光ディスクに対して返却期日を設定する処理を行うための
返却期日設定キーと、返却期日を表示させる処理を行うための返却期日表示キーと有し、
前記システムコントローラは、前記返却期日設定キーの押下により返却期日設定用表示画
面を本体表示部または／およびディスプレイ装置に表示させる設定用表示処理手段と、前
記返却期日設定用表示画面を用いて入力された返却期日をメモリに記憶させる返却期日記
憶処理手段と、前記返却期日表示キーの押下により前記メモリから前記返却期日を読み出
し、前記本体表示部または／および前記ディスプレイ装置に表示させる期日表示処理手段
とを有することを特徴とする請求項３に記載の光ディスク再生装置。
【請求項６】
前記操作手段は、借りてきた光ディスクに対して返却期日を設定する処理を行うための
返却期日設定キーと、返却期日を表示させる処理を行うための返却期日表示キーとを有し
、前記システムコントローラは、前記返却期日設定キーの押下により前記光ディスクから
タイトル情報を取得してメモリに記憶させるタイトル情報取得手段と、前記返却期日設定
キーの押下により返却期日設定用表示画面を本体表示部または／およびディスプレイ装置
に表示させる設定用表示処理手段と、前記返却期日設定用表示画面を用いて入力された返
却期日を前記メモリに記憶させる返却期日記憶処理手段と、前記返却期日表示キーの押下
により前記メモリから読み出された前記タイトルおよび前記返却期日を前記本体表示部ま
たは／および前記ディスプレイ装置に表示させる期日表示処理手段とを有することを特徴
とする請求項４に記載の光ディスク再生装置。
【発明の詳細な説明】
【技術分野】
【０００１】
本発明は、光ディスクに記録された情報を再生する光ディスク再生装置に関し、特に、
レンタル店などから借りてきた光ディスクの返却期日を管理することが可能な光ディスク
再生装置に関する。
【背景技術】
【０００２】
近年、レンタル店などでは、例えば映画などのビデオソフトは光ディスクであるＤＶＤ
（デジタル・バーサタイル・ディスク）を媒体としてレンタルされるものが多くなってき
ている。レンタルには、通常は返却期日が決められており、この返却期日を過ぎたときに
は一般的に延滞料金を支払うことで、そのまま延長して借りることができるようになって
いる。返却期日の確認は、レンタル時に、例えば光ディスクを収納する袋の中に返却期日
が書かれた伝票（貸渡書）が入っており、この伝票をユーザが見て返却期日を確認してい
る。
【特許文献１】特開平１１−１６７７６８号公報
【特許文献２】特開２０００−１２３４８２号公報
【発明の開示】
【発明が解決しようとする課題】
【０００３】
しかし、光ディスクを借りてきた後、返却期日が書かれた伝票を紛失しないように袋ご
と机の引出しの中などに片付けてしまうと、返却期日を毎日見なくなるので、返却日を確
認し忘れて、光ディスクをレンタル店に返却するのを忘れてしまう場合がある。そのため
、光ディスクの情報を全て再生した後、もう一度再生する様なことが無いにも関わらず、
延滞料金を支払わなければならなくなると言うような課題が生じる。
【０００４】
なお、特許文献１の従来技術では、利用者がレンタル店で選んだディスクと同時に、Ｉ
Ｃカード書込装置によってレンタルするディスクの固有管理情報やレンタル利用期限情報
が記録されたＩＣカードが渡され、利用者が持っている特別なプレーヤに前記ＩＣカード
と前記ディスクをセットし、前記レンタル利用期限情報が示す利用期間内でディスクを再
生することができるようにしているが、この場合、ＩＣカードと特別なプレーヤが必要と
なり、また、利用期間内でディスクの情報を再生できなかった場合や、利用期間を過ぎて
も、もう一度再生したい場合があっても、再生することができないという課題が生じる。
【０００５】
特許文献２の従来技術では、貸し出すべきビデオソフトとその貸出期限とをディスク状
記憶媒体に書き込むレンタル用ソフトの書き込み装置と、ディスク状記憶媒体からその貸
出期限を読み込み、その貸出期限内においてのみビデオソフトの再生を可能とする再生装
置とを備えているが、レンタル店側にレンタル用ソフトの書き込み装置が必要となり、ま
た、利用者が利用期間内でディスク状記憶媒体の情報を再生できなかった場合や、貸出期
間を過ぎても、もう一度再生したい場合があっても、再生することができないという課題
が生じる。
【０００６】
本発明は、上記のような課題を解決するためになされたもので、特別な装置を必要とせ
ず、返却期日を常に管理することができ、これにより、返却日を確認し忘れて、光ディス
クをレンタル店などに返却するのを忘れてしまうことを防止し、また、返却期日を過ぎて
も再生することができる光ディスク再生装置を提供することを目的とする。
【課題を解決するための手段】
【０００７】
上記目的を達成するために、請求項１の発明は、借りてきた光ディスクに対して返却期
日を設定する処理を行うための返却期日設定キーと、返却期日を表示させる処理を行うた
めの返却期日表示キーとを操作手段に設けると共に、前記返却期日設定キーの押下により
返却期日設定用表示画面を本体表示部または／およびディスプレイ装置に表示させる設定
用表示処理手段と、前記返却期日設定用表示画面を用いて入力された返却期日をメモリに
記憶させる返却期日記憶処理手段と、前記返却期日表示キーの押下により前記メモリから
前記返却期日を読み出し前記本体表示部または／および前記ディスプレイ装置に表示させ
る期日表示処理手段とをシステムコントローラに設けことを特徴とする光ディスク再生装
置を提供する。
【０００８】
この構成において、操作手段の返却期日設定キーが押下されると、返却期日設定用表示
画面がシステムコントローラの設定用表示処理手段により例えばディスプレイ装置に表示
される。そして、ユーザが操作手段を操作し、返却期日設定用表示画面を用いて返却期日
が入力されると、システムコントローラの返却期日記憶処理手段により、その返却期日が
メモリに記憶される。この後、ユーザにより操作手段の返却期日表示キーが押下されると
、システムコントローラの期日表示処理手段により、前記メモリに記憶されている返却期
日が読み出され、例えば本体表示部に表示される。
【０００９】
この構成によれば、借りてきた光ディスクの返却期日が本体表示部または／およびディ
スプレイ装置に表示されるので、特別な装置を必要とせず、返却期日を常に管理すること
ができ、これにより、返却日を覚えておかなければならないと言うストレスから開放され
、光ディスクをレンタル店などに返却するのを忘れることを防止でき、無駄な延滞料金を
支払うようなことがなくなる。また、返却期日を過ぎた後でも、もう一度再生したい場合
は、再生することが可能であるので、使い勝手が良くなる。
【００１０】
請求項２の発明は、借りてきた光ディスクに対して返却期日を設定する処理を行うため
の返却期日設定キーと、返却期日を表示させる処理を行うための返却期日表示キーとを操
作手段に設けると共に、前記返却期日設定キーの押下により前記光ディスクからタイトル
情報を取得してメモリに記憶させるタイトル情報取得手段と、前記返却期日設定キーの押
下により返却期日設定用表示画面を本体表示部または／およびディスプレイ装置に表示さ
せる設定用表示処理手段と、前記返却期日設定用表示画面を用いて入力された返却期日を
前記メモリに記憶させる返却期日記憶処理手段と、前記返却期日表示キーの押下により前
記メモリから前記タイトル情報および前記返却期日を読み出し前記本体表示部または／お
よび前記ディスプレイ装置に表示させる期日表示処理手段とをシステムコントローラに設
けことを特徴とする光ディスク再生装置を提供する。
【００１１】
この構成において、操作手段の返却期日設定キーが押下されると、返却期日設定用表示
画面がシステムコントローラの設定用表示処理手段により例えばディスプレイ装置に表示
される。また、前記返却期日設定キーが押下されると、借りてきた光ディスクの再生によ
り得られるディスク情報に含まれるタイトル情報が、システムコントローラのタイトル情
報取得手段により取得され、メモリに記憶される。そして、ユーザが操作手段を操作し、
返却期日設定用表示画面を用いて返却期日が入力されると、システムコントローラの返却
期日記憶処理手段により、その返却期日が前記メモリに記憶される。この後、ユーザによ
り操作手段の返却期日表示キーが押下されると、システムコントローラの期日表示処理手
段により、前記メモリに記憶されているタイトルおよび返却期日が読み出され、例えば本
体表示部に表示される。
【００１２】
この構成によれば、借りてきた光ディスクのタイトルおよび返却期日が本体表示部また
は／およびディスプレイ装置に表示されるので、特別な装置を必要とせず、複数の光ディ
スクの返却期日を常に管理することができ、これにより、各光ディスクの返却日を覚えて
おかなければならないと言うストレスから開放され、光ディスクをレンタル店などに返却
するのを忘れることが防止でき、延滞料金を支払うようなことがなくなる。また、返却期
日を過ぎた後でも、もう一度再生したい場合は、再生することが可能であるので、使い勝
手が良くなる。
【００１３】
請求項３の発明は、借りてきた光ディスクに対して返却期日を設定する処理を行うため
に操作されると共に、返却期日を表示させる処理を行うために操作される操作手段と、こ
の操作手段の操作により返却期日設定用表示画面を表示させ、前記返却期日設定用表示画
面を用いて前記操作手段により入力された返却期日を表示手段に表示させる制御を行うシ
ステムコントローラとを備えたことを特徴とする光ディスク再生装置を提供する。
【００１４】
この構成において、返却期日設定に関する操作が操作手段により行われると、返却期日
設定用表示画面が、システムコントローラの制御により表示手段に表示される。そして、
ユーザが操作手段を操作し、返却期日設定用表示画面を用いて返却期日が入力されると、
システムコントローラの制御により、その返却期日が表示手段に表示される。
【００１５】
この構成によれば、借りてきた光ディスクの返却期日が表示手段に表示されるので、特
別な装置を必要とせず、返却期日を常に管理することができ、これにより、返却日を覚え
ておかなければならないと言うストレスから開放され、光ディスクをレンタル店などに返
却するのを忘れることが防止でき、延滞料金を支払うようなことがなくなる。また、返却
期日を過ぎた後でも、もう一度再生したい場合は、再生することが可能であるので、使い
勝手が良くなる。
【００１６】
請求項４の発明は、借りてきた光ディスクに対して返却期日を設定する処理を行うため
に操作されると共に、返却期日を表示させる処理を行うために操作される操作手段と、こ
の操作手段の操作により返却期日設定用表示画面を表示させ、光ディスクのタイトルと、
前記返却期日設定用表示画面を用いて前記操作手段により入力された返却期日とを、表示
手段に表示させる制御を行うシステムコントローラとを備えたことを特徴とする光ディス
ク再生装置を提供する。
【００１７】
この構成において、返却期日設定に関する操作が操作手段により行われると、返却期日
設定用表示画面が、システムコントローラの制御により表示手段に表示される。また、光
ディスクのタイトルが返却期日設定用表示画面に表示される。そして、ユーザが操作手段
を操作し、返却期日設定用表示画面を用いて返却期日が入力されると、システムコントロ
ーラの制御により、そのタイトルおよび返却期日が表示手段に表示される。
【００１８】
この構成によれば、借りてきた光ディスクのタイトルおよび返却期日が表示手段に表示
されるので、特別な装置を必要とせず、複数の光ディスクの返却期日を常に管理すること
ができ、これにより、各光ディスクの返却日を覚えておかなければならないと言うストレ
スから開放され、光ディスクをレンタル店などに返却するのを忘れることが防止でき、延
滞料金を支払うようなことがなくなる。また、返却期日を過ぎた後でも、もう一度再生し
たい場合は、再生することが可能であるので、使い勝手が良くなる。
【００１９】
請求項５の発明では、請求項３の発明において、前記操作手段は、借りてきた光ディス
クに対して返却期日を設定する処理を行うための返却期日設定キーと、返却期日を表示さ
せる処理を行うための返却期日表示キーと有し、前記システムコントローラは、前記返却
期日設定キーの押下により返却期日設定用表示画面を本体表示部または／およびディスプ
レイ装置に表示させる設定用表示処理手段と、前記返却期日設定用表示画面を用いて入力
された返却期日をメモリに記憶させる返却期日記憶処理手段と、前記返却期日表示キーの
押下により前記メモリから前記返却期日を読み出し、前記本体表示部または／および前記
ディスプレイ装置に表示させる期日表示処理手段とを有するので、借りてきた光ディスク
の返却期日を本体表示部または／およびディスプレイ装置に常に表示することが可能にな
る。
【００２０】
請求項６の発明では、請求項４の発明において、前記操作手段は、借りてきた光ディス
クに対して返却期日を設定する処理を行うための返却期日設定キーと、返却期日を表示さ
せる処理を行うための返却期日表示キーとを有し、前記システムコントローラは、前記返
却期日設定キーの押下により前記光ディスクからタイトル情報を取得してメモリに記憶さ
せるタイトル情報取得手段と、前記返却期日設定キーの押下により返却期日設定用表示画
面を本体表示部または／およびディスプレイ装置に表示させる設定用表示処理手段と、前
記返却期日設定用表示画面を用いて入力された返却期日を前記メモリに記憶させる返却期
日記憶処理手段と、前記返却期日表示キーの押下により前記メモリから読み出された前記
タイトルおよび前記返却期日を前記本体表示部または／および前記ディスプレイ装置に表
示させる期日表示処理手段とを有するので、借りてきた光ディスクのタイトルおよび返却
期日を本体表示部または／およびディスプレイ装置に常に表示することが可能になる。
【発明の効果】
【００２１】
以上のように本発明によれば、借りてきた光ディスクに対して返却期日を設定する処理
を行うための返却期日設定キーと、返却期日を表示させる処理を行うための返却期日表示
キーとを操作手段に設けると共に、前記返却期日設定キーの押下により返却期日設定用表
示画面を本体表示部または／およびディスプレイ装置に表示させる設定用表示処理手段と
、前記返却期日設定用表示画面を用いて入力された返却期日をメモリに記憶させる返却期
日記憶処理手段と、前記返却期日表示キーの押下により前記メモリから前記返却期日を読
み出し前記本体表示部または／および前記ディスプレイ装置に表示させる期日表示処理手
段とをシステムコントローラに設けたので、借りてきた光ディスクの返却期日を本体表示
部または／およびディスプレイ装置に表示することが可能になって、特別な装置を必要と
せず、返却期日を常に管理することができるようになり、これにより、返却日を覚えてお
かなければならないと言うストレスから開放され、光ディスクをレンタル店などに返却す
るのを忘れることを防止でき、無駄な延滞料金を支払うようなことがなくなる。また、返
却期日を過ぎた後でも、もう一度再生したい場合は、再生することが可能であるので、使
い勝手が良くなる。
【００２２】
また、本発明によれば、借りてきた光ディスクに対して返却期日を設定する処理を行う
ための返却期日設定キーと、返却期日を表示させる処理を行うための返却期日表示キーと
を操作手段に設けると共に、前記返却期日設定キーの押下により前記光ディスクからタイ
トル情報を取得してメモリに記憶させるタイトル情報取得手段と、前記返却期日設定キー
の押下により返却期日設定用表示画面を本体表示部または／およびディスプレイ装置に表
示させる設定用表示処理手段と、前記返却期日設定用表示画面を用いて入力された返却期
日を前記メモリに記憶させる返却期日記憶処理手段と、前記返却期日表示キーの押下によ
り前記メモリから前記タイトル情報および前記返却期日を読み出し前記本体表示部または
／および前記ディスプレイ装置に表示させる期日表示処理手段とをシステムコントローラ
に設けので、借りてきた光ディスクのタイトルおよび返却期日を本体表示部または／およ
びディスプレイ装置に表示することが可能になって、特別な装置を必要とせず、複数の光
ディスクの返却期日を常に管理することができるようになり、これにより、各光ディスク
の返却日を覚えておかなければならないと言うストレスから開放され、光ディスクをレン
タル店などに返却するのを忘れることが防止でき、延滞料金を支払うようなことがなくな
る。また、返却期日を過ぎた後でも、もう一度再生したい場合は、再生することが可能で
あるので、使い勝手が良くなる。
【００２３】
また、本発明によれば、借りてきた光ディスクに対して返却期日を設定する処理を行う
ために操作されると共に、返却期日を表示させる処理を行うために操作される操作手段と
、この操作手段の操作により返却期日設定用表示画面を表示させ、前記返却期日設定用表
示画面を用いて前記操作手段により入力された返却期日を表示手段に表示させる制御を行
うシステムコントローラとを備えたので、借りてきた光ディスクの返却期日を表示手段に
表示することが可能になって、特別な装置を必要とせず、返却期日を常に管理することが
できるようになり、これにより、返却日を覚えておかなければならないと言うストレスか
ら開放され、光ディスクをレンタル店などに返却するのを忘れることが防止でき、延滞料
金を支払うようなことがなくなる。また、返却期日を過ぎた後でも、もう一度再生したい
場合は、再生することが可能であるので、使い勝手が良くなる。
【００２４】
また、本発明によれば、借りてきた光ディスクに対して返却期日を設定する処理を行う
ために操作されると共に、返却期日を表示させる処理を行うために操作される操作手段と
、この操作手段の操作により返却期日設定用表示画面を表示させ、光ディスクのタイトル
と、前記返却期日設定用表示画面を用いて前記操作手段により入力された返却期日とを、
表示手段に表示させる制御を行うシステムコントローラとを備えたので、借りてきた光デ
ィスクのタイトルおよび返却期日を表示手段に表示することが可能になって、特別な装置
を必要とせず、複数の光ディスクの返却期日を常に管理することができようになり、これ
により、各光ディスクの返却日を覚えておかなければならないと言うストレスから開放さ
れ、光ディスクをレンタル店などに返却するのを忘れることが防止でき、延滞料金を支払
うようなことがなくなる。また、返却期日を過ぎた後でも、もう一度再生したい場合は、
再生することが可能であるので、使い勝手が良くなる。
【発明を実施するための最良の形態】
【００２５】
以下、添付図面を参照しつつ、本発明の実施の形態について説明する。図１は本発明の
第１の実施形態に係る光ディスク再生装置の構成を示すブロック図である。
【００２６】
この光ディスク再生装置は、光ディスク１を回転させるスピンドルモータ５と、光ディ
スク１に記録された情報を再生するためのレーザ光を出射すると共に光ディスク１からの
反射光を受光する光ピックアップ２と、この光ピックアップ２を光ディスク１の半径方向
に移動させるためのスレッド３と、システムコントローラ２２の指示に応じてスピンドル
モータ５およびスレッド３を駆動すると共に光ピックアップ２に内蔵された対物レンズ（
図示せず）を動かすことによりレーザ光の焦点位置を光ディスク１の記録面に対して垂直
方向および水平方向に移動させる制御を行うサーボ制御部４とを備えている。
【００２７】
また、この光ディスク再生装置は、光ディスク１の再生時に光ピックアップ２からの読
取信号であるＲＦ信号を増幅するＲＦアンプ６と、このＲＦアンプ６から出力されたＲＦ
信号をデジタルデータに変換した後に光ディスク１のデータフォーマットに応じた信号復
調処理と誤り訂正処理を行って生成したデータをＲＡＭ７に格納するデジタル信号処理部
８と、システムコントローラ２２の指示に応じてデジタル信号処理部８から出力されたデ
ータストリームの中からオーディオデータとサブピクチャデータとビデオデータとを分離
するストリーム分離部９とを備えている。
【００２８】
また、この光ディスク再生装置は、ストリーム分離部９から出力されたオーディオデー
タを入力して所定のデコード処理を行うオーディオデコーダ１１と、このオーディオデコ
ーダ１１でのデコード処理を行うためにデータを一時的に格納するＲＡＭ１０と、ストリ
ーム分離部９から出力されたサブピクチャデータを入力して所定のデコード処理を行うサ
ブピクチャデコーダ１３と、このサブピクチャデコーダ１３でのデコード処理を行うため
にデータを一時的に格納するＲＡＭ１２と、ストリーム分離部９から出力されたビデオデ
ータを入力して所定のデコード処理を行うビデオデコーダ１５と、このビデオデコーダ１
５でのデコード処理を行うためにデータを一時的に格納するＲＡＭ１４とを備えている。
【００２９】
また、この光ディスク再生装置は、システムコントローラ２２の指示に応じてビデオデ
コーダ１５から出力されたデータとサブピクチャデコーダ１３から出力されたデータとを
合成するビデオプロセッサ１７と、このビデオプロセッサ１７から出力された合成データ
を表示用のビデオ信号に変換して画像をディスプレイ装置２０に表示させるビデオエンコ
ーダ１８と、オーディオデコーダ１１から出力されたデータをアナログのオーディオ信号
に変換して例えばスピーカ１９に供給するＤ／Ａ変換器１６とを備えている。
【００３０】
また、この光ディスク再生装置は、システムコントローラ２２に対して、再生指示を与
えるための再生キー（図示せず）、再生停止を指示するための停止キー（図示せず）、そ
の他各種操作キー（図示せず）を有する操作部２１と、装置全体を制御する前記システム
コントローラ２２とを備えている。操作部２１は、リモコン（リモートコントローラ）２
６からの操作指令を示す光信号を受信する受光手段（図示せず）を備え、この受光手段に
より光信号を電気信号に変換してシステムコントローラ２２に指令信号を入力する。リモ
コン２６は、操作部２１と同様な各種操作キーを有する他、借りてきた光ディスクに対し
て返却期日を設定する処理を行うための返却期日設定キー２６ａと、返却期日を表示させ
る処理を行うための返却期日表示キー２６ｂとを有する。なお、返却期日設定キーと返却
期日表示キーは操作部２１にも設けても良い。
【００３１】
また、この光ディスク再生装置は、装置の各構成要素を制御したり、装置全体を制御し
たりするためのプログラムやデータなどを記憶するフラッシュＲＯＭ２３と、このフラッ
シュＲＯＭ２３のプログラムやデータに従って演算処理を行いシステムコントローラ２２
を制御するＣＰＵ２４と、操作部２１またはリモコン２６からの操作内容や返却期日など
を表示したりする本体側の表示手段である表示部２５とを備えている。
【００３２】
システムコントローラ２２は、本実施形態の特徴とする構成要素として、リモコン２６
の返却期日設定キー２６ａの押下により返却期日設定用表示画面を表示部２５または／お
よびディスプレイ装置２０に表示させる設定用表示処理手段２２１と、前記返却期日設定
用表示画面を用いて入力された返却期日をフラッシュＲＯＭ２３に記憶させる返却期日記
憶処理手段２２２と、リモコン２６の返却期日表示キー２６ｂの押下によりフラッシュＲ
ＯＭ２３から前記返却期日を読み出し表示部２５または／およびディスプレイ装置２０に
表示させる期日表示処理手段２２３とを有している。
【００３３】
図２は第１の実施形態において返却期日設定処理を説明するためのフローチャートであ
る。図３は第１の実施形態において返却期日表示処理を説明するためのフローチャートで
ある。また、図４は第１の実施形態において返却期日が表示された例を示す図である。
【００３４】
以下、図１〜図４を参照して第１の実施形態による光ディスク再生装置の特徴とする動
作について説明する。ユーザがレンタル店などから光ディスクを借りてきて、その返却期
日を光ディスク再生装置に表示させるため、先ず、光ディスク再生装置をパワーオンし（
ステップＳ１）、光ディスク再生装置が動作可能状態になった後、ユーザがリモコン２６
の返却期日設定キー２６ａを押下すると（ステップＳ２）、これに応答してシステムコン
トローラ２２の設定用表示処理手段２２１は、設定用ＯＳＤ表示処理を行う（ステップＳ
３）。即ち、設定用表示処理手段２２１は、返却期日設定用表示画面をディスプレイ装置
２０に表示する。
【００３５】
そして、ユーザがリモコン２６を操作し、返却期日設定用表示画面を用いて返却期日が
入力され（ステップＳ４）、この入力が完了すると（ステップＳ５）、システムコントロ
ーラ２２の返却期日記憶処理手段２２２により、その返却期日がフラッシュＲＯＭ２３に
記憶される。例えば、返却期日が２００４年２月２５日であったとすると、ユーザはリモ
コン２６のテンキーを押下して「０４０２２５」と入力し、それを決定することにより、
「０４０２２５」のデータがフラッシュＲＯＭ２３に記憶される。
【００３６】
この後、ユーザによりリモコン２６の返却期日表示キー２６ｂが押下されると、システ
ムコントローラ２２はＯＳＤを消去し、表示部２５に返却期日を表示する（ステップＳ６
）。即ち、システムコントローラ２２は、ディスプレイ装置２０に表示されている返却期
日設定用表示画面を消去し、期日表示処理手段２２３によりフラッシュＲＯＭ２３から返
却期日を読み出し、この返却期日を表示部２５に例えば図４に示すように表示する。
【００３７】
以上の処理により、借りてきた光ディスクの返却期日が設定され、表示部２５に表示さ
れる。この返却期日の表示は、返却期日のデータがフラッシュＲＯＭ２３に記憶されてい
るので、光ディスク再生装置の電源プラグを商用電源コンセントから抜いても、返却期日
は消去されず、また、電源プラグを商用電源コンセントに差し込んだ状態で、光ディスク
再生装置のパワー（メイン電源）がオフされているときでも、待機用電源によって返却期
日が表示部２５に表示されるように成っている。また、光ディスク再生装置の電源プラグ
を商用電源コンセントから抜いた状態でも、バックアップ電池により返却期日を表示でき
るようにしても良い。
【００３８】
このようにして返却期日が表示部２５に表示された後、ユーザがリモコン２６の返却期
日表示キー２６ｂを押下すると（ステップＳ１１）、ステップＳ１２に移り、ディスプレ
イ装置２０はテレビ放送を表示しているか否かが判定される。ディスプレイ装置２０がテ
レビ放送を表示していない場合は、ステップＳ１３に移り、表示部２５に返却期日を表示
中であるか否かが判定される。ディスプレイ装置２０がテレビ放送を表示している場合は
、ステップＳ１６に移り、同じく表示部２５に返却期日を表示中であるか否かが判定され
る。
【００３９】
ディスプレイ装置２０にテレビ放送が表示されていなく、表示部２５に返却期日が表示
されている（表示中である）場合は、表示部２５に表示される内容を切換え、本来の表示
（年，月，日，曜日，時刻，動作モードなどの表示）を表示部２５に表示させる（ステッ
プＳ１４）。ディスプレイ装置２０にテレビ放送が表示されていなく、表示部２５に返却
期日が表示されていない（表示中でない）場合は、システムコントローラ２２の期日表示
処理手段２２３は、表示部２５または／およびディスプレイ装置２０に返却期日を表示す
る（ステップＳ１５）。
【００４０】
この後、ユーザがリモコン２６の返却期日表示キー２６ｂを押下したとき（ステップＳ
１１）、ディスプレイ装置２０はテレビ放送を表示しており（ステップＳ１２）、表示部
２５に返却期日を表示している場合は（ステップＳ１６）、表示部２５に表示される内容
を切換え、本来の表示（年，月，日，曜日，時刻，動作モードなどの表示）を表示部２５
に表示させる（ステップＳ１７）。ディスプレイ装置２０にテレビ放送が表示されていて
（ステップＳ１２）、表示部２５に返却期日が表示されていない場合は（ステップＳ１６
）、システムコントローラ２２の期日表示処理手段２２３は、表示部２５に返却期日を表
示する（ステップＳ１８）。
【００４１】
以上説明したように第１の実施形態によれば、借りてきた光ディスクの返却期日が本体
表示部または／およびディスプレイ装置に表示されるので、特別な装置を必要とせず、返
却期日を常に管理することができ、これにより、返却日を覚えておかなければならないと
言うストレスから開放され、光ディスクをレンタル店などに返却するのを忘れることを防
止でき、無駄な延滞料金を支払うようなことがなくなる。また、返却期日を過ぎた後でも
、もう一度再生したい場合は、再生することが可能であるので、使い勝手が良くなる。
【００４２】
図５は本発明の第２の実施形態に係る光ディスク再生装置の構成を示すブロック図であ
る。図５において、図１に示す構成要素に対応するものには同一の符号を付し、その説明
を省略する。
【００４３】
図５において、システムコントローラ２２には、設定用表示処理手段２２１、返却期日
記憶処理手段２２２および期日表示処理手段２２３の他に、リモコン２６の返却期日設定
キー２６ａの押下により光ディスク１からタイトル情報を取得してフラッシュＲＯＭ２３
に記憶させるタイトル情報取得手段２２４が設けられている。このようにタイトル情報も
用いることにより、借りてきた光ディスクが複数個あっても、それぞれ光ディスク毎に返
却期日を表示することが可能になる。
【００４４】
図６は第２の実施形態において返却期日設定処理を説明するためのフローチャートであ
る。図７は第２の実施形態において返却期日表示処理を説明するためのフローチャートで
ある。また、図８は第２の実施形態においてタイトル名と返却期日が表示された例を示す
図である。
【００４５】
以下、図６〜図８を参照して第２の実施形態による光ディスク再生装置の特徴とする動
作について説明する。ユーザがレンタル店などから例えば２枚の光ディスクを借りてきて
、それらのタイトルおよび返却期日を光ディスク再生装置に表示させるため、先ず、光デ
ィスク再生装置をパワーオンし（ステップＮ１）、光ディスク再生装置が動作可能状態に
なった後、借りてきた光ディスクを光ディスク再生装置に挿入し、リモコン２６の返却期
日設定キー２６ａを押下すると（ステップＮ２）、これに応答して、光ディスクのディス
ク情報に含まれるタイトル情報が読み出され、システムコントローラ２２のタイトル情報
取得手段２２４は、そのタイトル情報を取得してフラッシュＲＯＭ２３に記憶する（ステ
ップＮ３）。
【００４６】
この後、システムコントローラ２２の設定用表示処理手段２２１は、設定用ＯＳＤ表示
処理を行う（ステップＮ４）。即ち、設定用表示処理手段２２１は、返却期日設定用表示
画面をディスプレイ装置２０に表示する。そして、ユーザがリモコン２６を操作し、返却
期日設定用表示画面を用いて返却期日が入力され（ステップＮ５）、この入力が完了する
と（ステップＮ６）、システムコントローラ２２の返却期日記憶処理手段２２２により、
その返却期日がフラッシュＲＯＭ２３に記憶される。
【００４７】
例えば、２枚の光ディスクのうち、一方の光ディスクのタイトルがＡＢＣで、返却期日
が２００４年３月２８日であったとすると、ユーザはリモコン２６のテンキーを押下して
「０４０３２８」と入力し、それを決定することにより、「０４０３２８」のデータがタ
イトルＡＢＣに対応してフラッシュＲＯＭ２３に記憶される。また、２枚の光ディスクの
うち、他方の光ディスクのタイトルがＥＦＧで、返却期日が２００４年４月１６日であっ
たとすると、ユーザはリモコン２６のテンキーを押下して「０４０４１６」と入力し、そ
れを決定することにより、「０４０４１６」のデータがタイトルＥＦＧに対応してフラッ
シュＲＯＭ２３に記憶される。
【００４８】
この後、ユーザによりリモコン２６の返却期日表示キー２６ｂが押下されると、システ
ムコントローラ２２はＯＳＤを消去し、表示部２５にタイトルと返却期日を表示する（ス
テップＮ７）。即ち、システムコントローラ２２は、ディスプレイ装置２０に表示されて
いる返却期日設定用表示画面を消去し、期日表示処理手段２２３によりフラッシュＲＯＭ
２３からタイトルと返却期日を読み出し、このタイトルと返却期日を表示部２５に例えば
図８に示すように表示する。
【００４９】
以上の処理によりタイトルと返却期日が設定され、表示部２５に表示される。このタイ
トルと返却期日の表示は、タイトルと返却期日のデータがフラッシュＲＯＭ２３に記憶さ
れているので、光ディスク再生装置の電源プラグを商用電源コンセントから抜いても、タ
イトルと返却期日は消去されず、また、電源プラグを商用電源コンセントに差し込んだ状
態で、光ディスク再生装置のパワー（メイン電源）がオフされているときでも、待機用電
源によってタイトルと返却期日が表示部２５に表示されるように成っている。また、光デ
ィスク再生装置の電源プラグを商用電源コンセントから抜いた状態でも、バックアップ電
池によりタイトルと返却期日を表示できるようにしても良い。
【００５０】
このようにして返却期日が表示部２５に表示された後、ユーザがリモコン２６の返却期
日表示キー２６ｂを押下すると（ステップＮ１１）、ステップＮ１２に移り、ディスプレ
イ装置２０はテレビ放送を表示しているか否かが判定される。ディスプレイ装置２０がテ
レビ放送を表示していない場合は、ステップＮ１３に移り、表示部２５にタイトルと返却
期日を表示中であるか否かが判定される。テレビ放送を表示している場合は、ステップＮ
１６に移り、同じく表示部２５にタイトルと返却期日を表示中であるか否かが判定される
。
【００５１】
ディスプレイ装置２０にテレビ放送が表示されていなく、表示部２５にタイトルと返却
期日が表示されている（表示中である）場合は、表示部２５に表示される内容を切換え、
本来の表示（年，月，日，曜日，時刻，動作モードなどの表示）を表示部２５に表示させ
る（ステップＮ１４）。ディスプレイ装置２０にテレビ放送が表示されていなく、表示部
２５にタイトルと返却期日が表示されていない（表示中でない）場合は、システムコント
ローラ２２の期日表示処理手段２２３は、表示部２５または／およびディスプレイ装置２
０に返却期日を表示する（ステップＮ１５）。
【００５２】
この後、ユーザがリモコン２６の返却期日表示キー２６ｂを押下したとき（ステップＮ
１１）、ディスプレイ装置２０はテレビ放送を表示しており（ステップＮ１２）、表示部
２５にタイトルと返却期日を表示している場合は（ステップＮ１６）、表示部２５に表示
される内容を切換え、本来の表示（年，月，日，曜日，時刻，動作モードなどの表示）を
表示部２５に表示させる（ステップＮ１７）。ディスプレイ装置２０にテレビ放送が表示
されていて（ステップＮ１２）、表示部２５にタイトルと返却期日が表示されていない場
合は（ステップＮ１６）、システムコントローラ２２の期日表示処理手段２２３は、表示
部２５にタイトルと返却期日を表示する（ステップＮ１８）。
【００５３】
以上説明したように第２の実施形態によれば、借りてきた光ディスクのタイトルおよび
返却期日が本体表示部または／およびディスプレイ装置に表示されるので、特別な装置を
必要とせず、複数の光ディスクの返却期日を常に管理することができ、これにより、各光
ディスクの返却日を覚えておかなければならないと言うストレスから開放され、光ディス
クをレンタル店などに返却するのを忘れることが防止でき、延滞料金を支払うようなこと
がなくなる。また、返却期日を過ぎた後でも、もう一度再生したい場合は、再生すること
が可能であるので、使い勝手が良くなる。
【図面の簡単な説明】
【００５４】
【図１】本発明の第１の実施形態に係る光ディスク再生装置の構成を示すブロック図である。
【図２】第１の実施形態において返却期日設定処理を説明するためのフローチャートである。
【図３】第１の実施形態において返却期日表示処理を説明するためのフローチャートである。
【図４】第１の実施形態において返却期日が表示された例を示す図である。
【図５】本発明の第２の実施形態に係る光ディスク再生装置の構成を示すブロック図である。
【図６】第２の実施形態において返却期日設定処理を説明するためのフローチャートである。
【図７】第２の実施形態において返却期日表示処理を説明するためのフローチャートである。
【図８】第２の実施形態においてタイトルと返却期日が表示された例を示す図である。
【符号の説明】
【００５５】
１    光ディスク
２０    ディスプレイ装置（表示手段）
２１    操作部（操作手段）
２２    システムコントローラ
２３    フラッシュＲＯＭ（メモリ）
２５    表示部（表示手段）
２６    リモコン（操作手段）
２６ａ    返却期日設定キー
２６ｂ    返却期日表示キー
２２１    設定用表示処理手段
２２２    返却期日記憶処理手段
２２３    期日表示処理手段
２２４    タイトル情報取得手段
【図１】
2005203056.tif 000003
【図２】
2005203056.tif 000004
【図３】
2005203056.tif 000005
【図４】
2005203056.tif 000006
【図５】
2005203056.tif 000007
【図６】
2005203056.tif 000008
【図７】
2005203056.tif 000009
【図８】
2005203056.tif 000010